(57)【特許請求の範囲】
【請求項１】
ロール状に巻かれたラップフィルムが収納される上面が開口した箱本体と、この箱本体の上面開口部を開閉する蓋とによって構成され、上記箱本体は、底面板と前面板と後面板と左右両側面板とから成るラップフィルムの収納箱において、上記箱本体における左右両側の前側角部を形成する上記前面板の左右両端部と上記左右両側面板に、上記前側角部を含む本体左右両端部を内側に扁平に折り込むための折目が設けられ、上記左右両側面板の折目は、箱本体の前側角部の上端と後側角部の下端とを結ぶ対角線上に設けられ、上記前面板の折目は、上記前側角部の下端を一端として上記左右両側面板の折目とほぼ平行に設けられたことを特徴とするラップフィルムの収納箱。
【請求項２】
蓋が、箱本体の後面板に連続する上板と、この上板の前端に下向きに連続する前板と、左右両側板とによって構成され、この蓋における前板の左右両端部に、蓋の前側角部を含む蓋左右両端部を内側に扁平に折り込むための折目が、蓋の前側角部の上端から前板下端までの間に傾斜して設けられたことを特徴とする請求項１記載のラップフィルムの収納箱。
【請求項３】
箱本体における前面板の上端に飛び出し防止フラップが内向きに一体に延設され、前面板の折目がこの飛び出し防止フラップに至らない範囲で設けられたことを特徴とする請求項１または２記載のラップフィルムの収納箱。
【請求項４】
箱本体における左右両側面板が、底面板、前面板、後面板の各左右両端に連設された折り返し片同士が重ね合せ状態で接着されて形成され、この各折り返し片に折目が上記重ね合せ状態で一致する状態で設けられて側面板の折目が形成されたことを特徴とする請求項１乃至３のいずれか１項に記載のラップフィルムの収納箱。
【発明の詳細な説明】
【０００１】
【発明の属する技術分野】
本発明はロール状に巻かれた食品等包装用のラップフィルム（合成樹脂フィルムのほか、アルミホイール、クッキングペーパー等を含む）を収納し、必要量ずつ引き出してカットするラップフィルムの収納箱に関するものである。
【０００２】
【従来の技術】
従来、ラップフィルムの収納箱は、図６，７に示すように、上面が開口した箱本体Ａと、この箱本体Ａの上面開口部を開閉する蓋Ｂとによって細長の直方体状に構成されている。
【０００３】
箱本体Ａは、底面板１と、前面板２と、後面板３と、左右両側面板４，４とによって形成されている。
【０００４】
ここで、左右両側面板４，４は、図７に示すように前、後面板２，３の左右両側に延設された折り返し片５，６同士を重ね合せて接着し、さらにその外側に、底面板１の左右両側に連設された折り返し片７を重ね合せ接着することによって形成される。
【０００５】
また、前面板２の上端に飛び出し防止フラップ８が内向きに一体に延設され、この飛び出し防止フラップ８によって使用時（とくにフィルム引出し時）のロール状フィルムの箱外への飛び出しが防止される。
【０００６】
一方、蓋Ｂは、前板９と、上板１０と、左右両側板１１，１１とによって形成され、前板９の下端にフィルム切断用の鋸歯付きカッター１２が取付けられている。
【０００７】
このラップフィルムの収納箱は、使用中は、中身のフィルムを保護するとともに、カッター１２によってフィルムを切断し易くするという観点から十分堅牢であることが望まれる。
【０００８】
ところが、従来のフィルム収納箱によると、堅牢に形成されることで、使用後に廃棄する際に、とくに本体Ａにおける前面板２と左右両側面板４，４とによって形成される前側角部Ｃ１，Ｃ１が堅くて本体Ａが扁平につぶれ難く、社会的ニーズである包装廃棄物の減容化に応えられなかった。
【０００９】
そこで、図７に示すように、箱本体Ａの左右両側面板４，４を構成する前、後面板２，３の折り返し片５，６に予めミシン目（切断線）１３，１４を入れておき、廃棄時にこのミシン目１３，１４により両折り返し片５，６を切断して側面板４，４全体として外側に開き、箱本体Ａの扁平化を可能とした技術が提案された（特開平９−２４８４号公報参照）。
【００１０】
【発明が解決しようとする課題】
ところが、この公知技術によると、使用中もミシン目１３，１４によって折り返し片５，６が半ば切断された状態にあるため、側面板４，４が脆弱化し、箱本体Ａの強度が低下して変形、破損し易くなるという弊害が生じていた。
【００１１】
また、扁平化の前段階として、両側面板４，４の折り返し片５，６を破断するというこれまでにない特別な操作が必要となり、かつ、この操作が必要であることを使用者に認識させなければならない。
【００１２】
従って、操作が面倒となり、あるいは認識不足によってこの操作が実行されずに、結局、減容化がなし得ない可能性があった。
【００１３】
そこで本発明は、使用中の強度を落さず、しかも、廃棄時には簡単かつ自然な操作によって箱を扁平化することができるラップフィルムの収納箱を提供するものである。
【００１４】
【課題を解決するための手段】
請求項１の発明は、ロール状に巻かれたラップフィルムが収納される上面が開口した箱本体と、この箱本体の上面開口部を開閉する蓋とによって構成され、上記箱本体は、底面板と前面板と後面板と左右両側面板とから成るラップフィルムの収納箱において、上記箱本体における左右両側の前側角部を形成する上記前面板の左右両端部と上記左右両側面板に、上記前側角部を含む本体左右両端部を内側に扁平に折り込むための折目が設けられ、上記左右両側面板の折目は、箱本体の前側角部の上端と後側角部の下端とを結ぶ対角線上に設けられ、上記前面板の折目は、上記前側角部の下端を一端として上記左右両側面板の折目とほぼ平行に設けられたものである。
【００１５】
請求項２の発明は、請求項１の構成において、蓋が、箱本体の後面板に連続する上板と、この上板の前端に下向きに連続する前板と、左右両側板とによって構成され、この蓋における前板の左右両端部に、蓋の前側角部を含む蓋左右両端部を内側に扁平に折り込むための折目が、蓋の前側角部の上端から前板下端までの間に傾斜して設けられものである。
【００１６】
請求項３の発明は、請求項１または２の構成において、箱本体における前面板の上端に飛び出し防止フラップが内向きに一体に延設され、前面板の折目がこの飛び出し防止フラップに至らない範囲で設けられたものである。
【００１７】
請求項４の発明は、請求項１乃至３のいずれかの構成において、箱本体における左右両側面板が、底面板、前面板、後面板の各左右両端に連設された折り返し片同士が重ね合せ状態で接着されて形成され、この各折り返し片に折目が上記重ね合せ状態で一致する状態で設けられて側面板の折目が形成されたものである。
【００１８】
上記構成によると、使用後の廃棄に際して、箱本体の前側角部を内側に押し込めば、この角部を含む本体両端部が折目により内向きに折り込まれて本体が扁平に折り畳まれる。
【００１９】
この場合、両側面板の折目を、前側角部の上端と後側角部の下端とを結ぶ対角線上に設け、前面板の折目をこの側面板の折目とほぼ平行に設けているため、側面板全体が対角線上で二つ折れに内折れし、前面板の両端部がこれと一体に内向きに折り畳まれる。
【００２０】
すなわち、前側角部を含む本体の左右両端部を、余分な抵抗なしに自然に、かつ、無理なくコンパクトに折畳むことができる。
【００２１】
この操作は、折目の有無に関係なく、従来から廃棄に際して使用者が自然に行っていた操作であって、公知技術のように一部を破断するというこれまでにない特別な操作を行う必要がない。すなわち、簡単かつ自然な操作によって箱を扁平化することができる。
【００２２】
しかも、前側角部を形成する前面板と側面板（請求項４では底面、前面、後面各板の折り返し片）に折目を入れておくだけでよいため、使用時の強度低下を招かない。
【００２３】
一方、請求項２の構成によると、蓋の両端部を折目により内側に折り込んで蓋をも扁平化し、箱全体を板紙の二つ折りに近い状態としてさらに減容化することができる。
【００２４】
また、請求項３の構成によると、飛び出し防止フラップを備えた収納箱において、本体前面板の折目がこの飛び出し防止フラップまでは及んでいないため、使用中、同フラップが折目によって外側に膨らんだり曲がったりして本来の飛び出し防止機能が低下するおそれがない。
【００２５】
【発明の実施の形態】
本発明の実施形態を図１〜図５によって説明する。
【００２６】
図１にこのラップフィルムの収納箱の組立前の展開状態、図２に組立状態をそれぞれ示している。
【００２７】
図１において、２１は底面板、２２は前面板、２３は後面板で、これら各板２１，２２，２３の長さ方向（左右）両端にそれぞれ折り返し片２４，２５，２６が一体に連設され、組立時に、左右両側において図３に示すようにこれら各折り返し片２４，２５，２６が内外に重ね合せ接着されて側面板２７，２７が形成され、かつ、図２に示す上面が開口した箱本体Ｄが構成される。
【００２８】
図１，２中、２８は前面板２２の一端（組立状態での上端）にほぼ全幅に亘って一体に延設された飛び出し防止フラップである。
【００２９】
一方、図１において、２９は蓋上板、３０は蓋前板で、これらの左右両端にそれぞれ折り返し片３１，３２が一体に連設され、組立時に、左右両側においてこれら両折り返し片３１，３２同士が内外に重ね合せ接着されて蓋側板３３，３３が形成され、かつ、図２に示すように箱本体Ｄの上面開口部を開閉する蓋Ｅが構成される。
【００３０】
図１，２中、３４は蓋前板３０に取付けられたフィルム切断用の鋸歯付きカッター、３５はこのカッター３４を外側から覆うカッター覆い片で、使用時にこのカッター覆い片３５が取り除かれてカッター３４が露出する。
【００３１】
また、図１中、ａ…は隣り合う板間、および板と折り返し片との間に設けられた組立用の折目である。
【００３２】
この収納箱においては、使用後の廃棄時に箱全体を扁平に折畳むための折目が箱本体Ｄおよび蓋Ｅに設けられている。
【００３３】
箱本体Ｄの折目
箱本体Ｄを扁平化する際、最も障害となるのは、前面板２２の両端部と側面板２７，２７とによって形成される堅くて変形し難い左右の前側角部Ｃ２，Ｃ２である。
【００３４】
そして、従来から廃棄時の扁平化の手始めにこの前側角部Ｃ２，Ｃ２を押し潰す操作が自然に行われていた。
【００３５】
そこで、両側の側面板２７，２７において、前側角部Ｃ２，Ｃ２の上端と後側角部Ｃ３，Ｃ３の下端とを結ぶ対角線上に折目（以下、側面折目という）ｂ１，ｂ１が設けられている。
【００３６】
ここで、側面板２７，２７は、前記のように底面、前面、後面の各板２１，２２，２３の折り返し片２４，２５，２６が重ね合せ接着されることによって形成されている。
【００３７】
このため、図１，３に示すようにこれら各折り返し片２４，２５，２６ごとに折目ｂ１´が設けられ、組立時にこれらが一致して一つの側面折目ｂ１が形成されるようになっている。
【００３８】
また、前面板２２の左右両側に、折目（以下、前面折目という）ｂ２，ｂ２が、前側角部Ｃ２，Ｃ２の下端を一端として、側面折目ｂ１，ｂ１とほぼ平行（完全平行またはそれに近い状態）となるように傾斜して設けられている。
【００３９】
この場合、使用中、飛び出し防止フラップ２８がこの前面折目ｂ２，ｂ２によって外側に膨らんだり曲がったりして本来の飛び出し防止機能が低下することのないように、前面折目ｂ２，ｂ２は同フラップ２８までは至らずに前面板２２の範囲のみに設けられている。
【００４０】
蓋Ｅの折目
蓋Ｅは、前板３０と両側の側板３３，３３とによって形成される前側角部Ｃ４，Ｃ４を内側に押し潰すことによって扁平化することができる。
【００４１】
そこで、前板３０の左右両端部において、前側角部Ｃ４，Ｃ４の上端から前板下端に至る傾斜した折目（以下、蓋折目という）ｂ３，ｂ３が設けられている。
【００４２】
この収納箱を、使用後の廃棄に際して扁平化する場合は、図２の二重線矢印イ，イで示すように、箱本体Ｄの左右の前側角部Ｃ２，Ｃ２を内側に押圧する。
【００４３】
こうすると、図４，５に示すように本体Ｄの左右両端部において、側面板２７が側面折目ｂ１によって内向き二つ折れに、前面板２２が前面折目ｂ２によって外折れにそれぞれ同時に折り込まれてフラットに折り畳まれる。
【００４４】
この場合、側面折目ｂ１を、前側角部Ｃ２の上端と後側角部Ｃ３の下端とを結ぶ対角線上に設け、前面折目ｂ２をこの側面折目ｂ１とほぼ平行に設けているため、前側角部Ｃ２を含む本体左右両端部を、余分な抵抗なしに自然に、かつ、無理なくコンパクトに折畳むことができる。
【００４５】
また、蓋Ｅの前側角部Ｃ４，Ｃ４を内向きに押すと、蓋折目ｂ３，ｂ３によって蓋Ｅの両端部が内側に折り込まれて蓋Ｅも扁平となる。
【００４６】
これにより、箱全体を扁平なほぼ二つ折れ状態に折り畳むことができる。
【００４７】
このように本体Ｄおよび蓋Ｅの前側角部Ｃ２，Ｃ４を内側に押圧するという、従来から廃棄に際して使用者が自然に行っていた操作、すなわち図７に示す公知技術のようにミシン目１３，１４によって一部を破断するというこれまでにない特別な操作を要せずに、簡単かつ自然な操作によって箱を容易に扁平化することができる。
【００４８】
しかも、前側角部Ｃ２，Ｃ４を形成する板（本体Ｄの側面板２７と前面板２２、蓋Ｅの前板３０）に折目ｂ１，ｂ２，ｂ３を入れておくだけでよいため、ミシン目を入れた場合のように使用時に強度が低下して変形、破損し易くなるという弊害が生じない。
【００４９】
ところで、上記実施形態では、箱本体Ｄだけでなく蓋Ｅにも折目ｂ３を設けて蓋Ｅの扁平化を助けるように構成したが、この蓋Ｅの側板３３は後端がフリーとなっていて、元々、蓋両端部は本体両端部と比較して扁平化させ易いため、この蓋折目ｂ３は必要に応じて設ければよい。
【００５０】
また、上記実施形態では、本体側面板２７が底面、前面、後面の各板２１，２２，２３の折り返し片２４，２５，２６を重ね合せ接着することによって形成される箱を例示したが、この側面板２７が二つまたは一つの折り返し片によって形成される箱にも適用し得ることはいうまでもない。
【００５１】
【発明の効果】
上記のように本発明によるときは、箱本体における左右両側の前側角部を形成する前面板の左右端部と側面板に折目を設け、使用後の廃棄時に、この折目により本体左右両端部を内側に折り込んで本体全体を扁平化し得るように構成したから、本体前側角部を内側に押圧するという、従来から廃棄に際して使用者が自然に行っていた操作のみによって簡単に箱本体を扁平化（減容化）することができる。
【００５２】
この場合、両側面板の折目を、前側角部の上端と後側角部の下端とを結ぶ対角線上に設け、前面板の折目をこの側面板の折目とほぼ平行に設けているため、前側角部を含む本体の左右両端部を、余分な抵抗なしに自然に、かつ、無理なくコンパクトに折畳むことができる。
【００５３】
一方、請求項２の発明によると、蓋の両端部を折目により内側に折り込んで蓋をも扁平化し、箱全体を板紙の二つ折りに近い状態としてさらに減容化することができる。
【００５４】
また、請求項３の発明によると、飛び出し防止フラップを備えた収納箱において、本体前面板の折目がこの飛び出し防止フラップまでは及んでいないため、使用中、同フラップが折目によって外側に膨らんだり曲がったりして本来の飛び出し防止機能が低下するおそれがない。
【図面の簡単な説明】
【図１】  本発明の実施形態にかかる箱の組立前の展開状態の平面図である。
【図２】  同組立状態の斜視図である。
【図３】  箱一端部を拡大し、かつ、一部分解して示す斜視図である。
【図４】  使用後の廃棄時の箱両端部を扁平化する初期段階の箱端部の斜視図である。
【図５】  扁平化した状態の箱端部の斜視図である。
【図６】  従来技術とその問題点を説明するための箱の斜視図である。
【図７】  同一部を拡大し、かつ、分解して示す斜視図である。
【符号の説明】
Ｄ  箱本体
Ｃ２，Ｃ２  前側角部
２１  底面板
２２  前面板
ｂ２  前面板の折目
２３  後面板
２７  側面板
ｂ１  側面板の折目
２４  側面板を構成する底面板の折り返し片
２５  同前面板の折り返し片
２６  同後面板の折り返し片
ｂ１´  各折り返し片の折目
２８  飛び出し防止フラップ
Ｅ  蓋
Ｃ４  蓋の前側角部
２９  蓋の上板
３０  前板
ｂ３  折目
３３  側板
【図１】
0003912879.tif 000002
【図２】
0003912879.tif 000003
【図３】
0003912879.tif 000004
【図４】
0003912879.tif 000005
【図５】
0003912879.tif 000006
【図６】
0003912879.tif 000007
【図７】
0003912879.tif 000008